(57)【要約】【課題】判定部をエンボスホログラムで形成する際に、製造時間の短縮が困難である点、エンボス型の製造時の工程数が多く、判定部のパターンの変更が困難な点を解消可能な真偽判定用媒体を提供することである。【解決手段】基材２上に配向膜３、光選択反射パターン層４および低配向性パターン層５、並びに光選択反射層６を積層して真偽判定用媒体１とすることにより課題を解決することができた。光選択反射パターン層４を積層する位置は、光選択反射層６上でもよく、あるいは、基材２の背面側でもよい。【選択図】        図１
2005096178.tif 000002
【特許請求の範囲】
【請求項１】
入射光のうち左円偏光もしくは右円偏光のいずれか一方を反射する光選択反射性を有する第１の光選択反射層がパターン状とされた光選択反射パターン層と、光選択反射性が低下した部分を有する前記第１の光選択反射層とは異なる第２の光選択反射層とが、基材に可視可能に積層されていることを特徴とする真偽判定用媒体。
【請求項２】
前記第１および第２の光選択反射層を構成する素材がコレステリック液晶であることを特徴とする請求項１記載の真偽判定用媒体。
【請求項３】
前記基材が透明であり、前記基材の観察側に前記光選択反射パターン層および前記第２の光選択反射層がこの順に積層されていることを特徴とする請求項１または請求項２記載の真偽判定用媒体。
【請求項４】
前記基材が透明であり、前記基材の観察側に前記第２の光選択反射層および前記光選択反射パターン層がこの順に積層されていることを特徴とする請求項１または請求項２記載の真偽判定用媒体。
【請求項５】
前記基材が透明であり、前記基材の観察側に前記第２の光選択反射層、前記基材の背面側に前記光選択反射パターン層が積層されていることを特徴とする請求項１または請求項２記載の真偽判定用媒体。
【請求項６】
前記第２の光選択反射層は、前記基材が有する配向面上に、低配向性パターン層を介して、入射光のうち左円偏光もしくは右円偏光のいずれか一方を反射する光選択反射性を有する層が積層されて構成されたものであることを特徴とする請求項１〜請求項５いずれか記載の真偽判定用媒体。
【請求項７】
請求項１〜請求項６いずれか記載の真偽判定用媒体にさらに接着剤層が積層されていることを特徴とする真偽判定用媒体ラベル。
【請求項８】
請求項１〜請求項６いずれか記載の真偽判定用媒体が剥離性基材の剥離性面に積層されていることを特徴とする真偽判定用媒体転写シート。
【請求項９】
請求項１〜請求項６いずれか記載の真偽判定用媒体を、シートの一部に可視可能に有することを特徴とする真偽判定可能なシート。
【請求項１０】
請求項１〜請求項６いずれか記載の真偽判定用媒体が、真偽判定対象である情報記録体の表面に積層されているか、もしくは前記情報記録体の一部に可視可能に有することを特徴とする真偽判定可能な情報記録体。
【発明の詳細な説明】
【技術分野】
【０００１】
本発明は、不正な意図に基づく偽造や改ざん等により得られたものとの区別を可能にした真偽判定用媒体に関する。また、本発明は、そのような真偽判定用媒体を物品に適用するのに適するラベルの形態や転写シートの形態に加工したものにも関する。さらに本発明は、真偽判定用媒体を適用したシートや情報記録体にも関する。
【背景技術】
【０００２】
例えば、クレジットカード、預貯金用カード、各種金券、もしくは身分証明書等は、偽造されたり改ざんされて不正に使用されるといろいろな支障を招くので、偽造や改ざんによる損害を防止するために、そのものの真正性を識別できる機能を有することが望まれる。また、例えば、腕時計、皮革製品、貴金属製品もしくは宝飾品等の高級品、とりわけ、高級ブランド品と言われるもの、オーディオ製品、電化製品、または媒体に記録された音楽ソフト、映像ソフト、ゲームソフト、もしくはコンピュータソフトも、やはり偽造の対象となるので、同様に、真正性を識別できる機能を有することが望まれる。
【０００３】
従来、上記の物品も含めた種々の物品の真正性の識別を可能にする目的で、ホログラムが多用されている。ホログラムは、その構造の精密さから、製造上の困難性を有するからである。しかし、ホログラムの製造方法は専門家には知られており、また、精密なものであるだけに、真正なホログラムと偽造されたホログラムとの区別はなかなかに困難である。
【０００４】
そこで、ホログラムに代るものとして、基材と、基材の一方の面に形成され、入射した光のうち、左回り偏光又は右回り偏光のいずれか一方の光のみを反射する光選択反射層と光選択反射層の少なくとも一部に形成され、新製品を判定する判定情報を備える判定部とを有する真偽判定体が提案された（例えば、特許文献１参照。）。
【特許文献１】特開２０００−２５３７３号公報（第３−５頁、図１）。
【０００５】
特許文献１記載の真偽判定体においては、判定部は依然としてエンボスホログラムで形成されており、判定部として精密なパターンの形成が可能であるものの、エンボス型に刻まれたホログラムの凹凸を充分に再現する意味で、エンボス型とエンボスされる材料との接触時間を充分に長くする必要があり、製造時間の短縮が困難である上、エンボス型自体の製造プロセスも工程数が多いため、判定部のパターンの変更が困難となる不利も有している。
【発明の開示】
【発明が解決しようとする課題】
【０００６】
本発明の課題は、判定部の形成をエンボスホログラムで形成する際に、製造時間の短縮が困難である点、エンボス型の製造時の工程数が多く、判定部のパターンの変更が困難な点を解消可能な真偽判定用媒体を提供することである。
【課題を解決するための手段】
【０００７】
上記の本発明の課題は、コレステリック液晶で構成された光選択反射パターン層と、コレステリック液晶で構成され、配向性が低下した部分を有する光選択反射層とを、基材に積層することにより解決し得ることが判明したので、これに基づいて本発明に到達することができた。
【０００８】
課題を解決する第１の発明は、入射光のうち左円偏光もしくは右円偏光のいずれか一方を反射する光選択反射性を有する第１の光選択反射層がパターン状とされた光選択反射パターン層と、光選択反射性が低下した部分を有する前記第１の光選択反射層とは異なる第２の光選択反射層とが、基材に可視可能に積層されていることを特徴とする真偽判定用媒体に関するものである。
【０００９】
また、第２の発明は、第１の発明において、前記第１および第２の光選択反射層を構成する素材がコレステリック液晶であることを特徴とする真偽判定用媒体に関するものである。
【００１０】
第３の発明は、第１または第２の発明において、前記基材が透明であり、前記基材の観察側に前記光選択反射パターン層および前記第２の光選択反射層がこの順に積層されていることを特徴とする真偽判定用媒体に関するものである。
【００１１】
第４の発明は、第１または第２の発明において、前記基材が透明であり、前記基材の観察側に前記第２の光選択反射層および前記光選択反射パターン層がこの順に積層されていることを特徴とする真偽判定用媒体に関するものである。
【００１２】
第５の発明は、第１または第２の発明において、前記基材が透明であり、前記基材の観察側に前記第２の光選択反射層、前記基材の背面側に前記光選択反射パターン層が積層されていることを特徴とする真偽判定用媒体に関するものである。
【００１３】
第６の発明は、第１〜第５いずれかの発明において、前記第２の光選択反射層は、前記基材が有する配向面上に、低配向性パターン層を介して、入射光のうち左円偏光もしくは右円偏光のいずれか一方を反射する光選択反射性を有する層が積層されて構成されたものであることを特徴とする真偽判定用媒体に関するものである。
【００１４】
第７の発明は、第１〜第６いずれかの発明の真偽判定用媒体にさらに接着剤層が積層されていることを特徴とする真偽判定用媒体ラベルに関するものである。
【００１５】
第８の発明は、第１〜第６いずれかの発明の真偽判定用媒体が剥離性基材の剥離性面に積層されていることを特徴とする真偽判定用媒体転写シートに関するものである。
【００１６】
第９の発明は、第１〜第６いずれかの発明の真偽判定用媒体を、シートの一部に可視可能に有することを特徴とする真偽判定可能なシートに関するものである。
【００１７】
第１０の発明は、第１〜第６いずれかの発明の真偽判定用媒体が、真偽判定対象である情報記録体の表面に積層されているか、もしくは前記情報記録体の一部に可視可能に有することを特徴とする真偽判定可能な情報記録体に関するものである。
【発明の効果】
【００１８】
第１の発明によれば、第２の光選択反射層が有する光選択反射層性が低下した部分、および光選択反射パターン層が、通常の状態でも視認可能であるが、右円偏光もしくは左円偏光を照射することにより、いずれもが反射性を帯び、かつ着色されてより明瞭化するか、もしくは全く見えない状態となるかのいずれかの状態となり、しかも、光選択反射層性が低下した部分の形成および光選択反射パターン層の形成は、例えば、印刷等により容易に行なえるので、製造時の工程数が多くなる事が無く、パターンの変更も容易な真偽判定用媒体を提供することができる。
【００１９】
第２の発明によれば、第１の発明の効果に加え、光選択反射層がコレステリック液晶により構成されているので、コレステリック液晶を含む組成物を用いての形成が容易な真偽判定用媒体を提供することができる。
【００２０】
第３の発明によれば、第１または第２の発明の効果に加え、基材の片面にのみ各層を積層することにより製造できるので、製造しやすい利点を有する真偽判定用媒体を提供することができる。
【００２１】
第４の発明によれば、第１または第２の発明の効果に加え、光選択反射性が部分的に低下した部分を有する光選択反射層までを共通に形成し、光選択反射パターン層として種々のパターンを形成するのに適している利点を有する真偽判定用媒体を提供することができる。
【００２２】
第５の発明によれば、第１または第２の発明の効果に加え、光選択反射層と光選択反射パターン層が基材をはさんで積層されているので、ぞれぞれの形成の際に互いに影響を及ぼすことを少なくして製造可能な真偽判定用媒体を提供することができる。
【００２３】
第６の発明によれば、第１〜第５いずれかの発明の効果に加え、光選択反射層の配向が確実な真偽判定用媒体を提供することができる。
【００２４】
第７の発明によれば、第１〜第６いずれかの発明の効果を発揮し得る真偽判定用媒体を接着剤層を利用して容易に物品に適用可能な真偽判定用媒体ラベルを提供することができる。
【００２５】
第８の発明によれば、第１〜第６いずれかの発明の効果を発揮し得る真偽判定用媒体が転写可能に構成されているので、容易に物品に適用可能な真偽判定用媒体転写シートを提供することができる。
【００２６】
第９の発明によれば、第１〜第６いずれかの発明の真偽判定用媒体が適用されているので、付加される情報の真偽判定を可能とする、真偽判定可能なシートを提供することができる。
【００２７】
第１０の発明によれば、第１〜第６いずれかの発明の真偽判定用媒体が適用されているので、自身の真偽判定を可能とする、真偽判定可能な情報記録体を提供することができる。
【発明を実施するための最良の形態】
【００２８】
図１（ａ）に例示するように、本発明の真偽判定用媒体１は、基材２の観察側、図中では上面に配向膜３が積層され、配向膜３の上面に、入射光のうち左円偏光もしくは右円偏光のいずれか一方を反射する光選択反射性を有し、パターン状とされた光選択反射パターン層４、および、配向膜３の配向性を低下させる低配向性パターン層５の二種類のパターンが積層され、これら二種類のパターン層４および５の上面に光選択反射層６が積層された積層構造を有し、光選択反射パターン層６は、下層の低配向性パターン層５により、光選択反射性が低下した部分を有しているものである。この積層構造のものは、基材２の片面にのみ、各層を順次積層することにより製造できるので、製造しやすい利点を有する。
【００２９】
図１（ｂ）に例示するように、本発明の真偽判定用媒体１は、基材２の図中の上面に配向膜３が積層され、配向膜３の上面に、低配向性パターン層５、光選択反射層６、および光選択反射パターン層４がこの記載順に積層された積層構造を有するものであってもよい。この積層構造のものは、低配向性パターン層５を共通のパターンとし、光選択反射層６まで形成したものを一旦製造しておき、その後、光選択反射パターン層４として種々のパターンを形成するのに適している利点を有する。
【００３０】
図１（ｃ）に例示するように、本発明の真偽判定用媒体１は、基材２の図中の上面に配向膜３が積層され、配向膜３の上面に、低配向性パターン層５および光選択反射層６がこの記載順に積層され、基材２の下面、即ち、層５および６が積層されない側の面に光選択反射パターン層４が積層された積層構造を有するものであってもよい。この積層構造のものも、低配向性パターン層５を共通のパターンとし、光選択反射パターン層４として種々のパターンを形成するのに適している。また、この積層構造のものは、光選択反射層６と光選択反射パターン層４の形成を、一方の層の形成用組成物中の成分が他の層に影響を及ぼすことを排除して行なえる利点も有する。
【００３１】
上記三例におけるように、本発明の真偽判定用媒体１は、本来的には、光選択反射性が低下した部分を有する光選択反射層６と、光選択反射パターン層４とが互いに積層されたものであればよいが、これらの各層を支持するための基材を伴なっていることがより好ましく、具体的には、図１（ａ）もしくは図１（ｂ）を引用して説明した例においては、必ずしも透明であることを要しない基材２の観察側に各層が積層されたものであり、図１（ｃ）を引用して説明した例においては、透明な基材２の観察側と背面側に各々の層を分けて積層したものであり、要するに、各層が基材２に可視可能に積層されたものである。
【００３２】
上記三例において、光選択反射パターン層４および光選択反射層６は、入射光のうち、左円偏光もしくは右円偏光のいずれか一方を反射する光選択反射性を有する素材からなる層であり、例えばコレステリック液晶層からなるものであって、層４と層５とは、互いに層の厚みもしくは液晶のらせんピッチを異にし、色の異なるものであることが好ましい。また、低配向性パターン層５は配向性を有する面上に積層され、配向性を有する面、即ち配向面の配向性を低下させるものであって、例えば樹脂膜からなるものである。
【００３３】
上記三例においては、いずれも基材２は別の配向膜３を必要とするものを示したが、延伸したプラスチックシートを基材２とするときには、もともと表面が配向性を有しているので、配向膜３の積層を省くことができる。即ち、本発明における光選択反射層６は、配向膜を介するか介さないかにかかわらず、基材が有する配向面に低配向性パターン層を介して積層されるものである。
【００３４】
基材２としては、厚みを薄くすることが可能であって、機械的強度や真偽判定用媒体を製造する際の加工に耐える耐溶剤性および耐熱性を有するものが好ましい。使用目的にもよるので、限定されるものではないが、フィルム状もしくはシート状のプラスチックが好ましい。例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
【００３５】
配向膜３は、ポリビニルアルコール樹脂（ＰＶＡ）、ポリイミド樹脂等の一般に配向膜として使用し得るものであれば、いずれでもよい。配向膜３は、これらの樹脂の溶剤溶液を、上記のような基材２の表面に適宜な塗布法により塗布し、乾燥させた後に、布、ブラシ等を用いて摩擦するラビングを行なって形成する。
【００３６】
光選択反射パターン層４は、コレステリック液晶層からなる。配向状態にあるコレステリック液晶層は、入射した光のうち、左円偏光もしくは右円偏光のいずれか一方のみを反射する性質を有している。光選択反射パターン層４は、コレステリック液晶の溶剤溶液を各種の印刷法によって適用し、乾燥させることにより形成することができ、あるいは、このとき、重合性のコレステリック液晶を用いて紫外線重合性組成物を調製し、得られた紫外線重合性組成物を各種の印刷法によって適用し、乾燥後に、紫外線を照射して重合させて形成することもできる。
【００３７】
低配向性パターン層５は、配向面の配向性を低下させるものであればいかなるものであってもよい。低配向性パターン層５は、各種印刷法によって形成するのがパターン形成上有利であることから、適宜な樹脂の溶液もしくは分散液を用いて形成した樹脂層であることが好ましい。
【００３８】
配向膜３を伴なう場合、低配向性パターン層５を構成する素材と、下層の配向膜３を構成する素材とは同じでも異なっていてもよいが、両者が同じ素材で構成され、しかも、低配向性パターン層５が透明な素材で構成されている場合には、通常の状態では低配向性パターン層５は全く見えないか、もしくはほとんど見えない。このように見えない低配向性パターン層５上に光選択反射層６が積層されている場合、その光選択反射層６が反射する右円偏光もしくは左円偏光を照射した際に、低配向性パターン層５の存在により透明感の高いパターンが視認できる利点がある。
【００３９】
なお、光選択反射パターン層４と低配向性パターン層５は、図１（ａ）、図１（ｂ）、および図１（ｃ）に描かれているように、好ましくは層の有無によるパターンを形成しているものであり、光選択反射パターン層４のパターンと低配向性パターン層５のパターンは、好ましくは互いに異なるパターンどうしであり、重複部を有しないことが好ましいが、両パターンの形成時の位置精度上の問題で、一部が重複していてもよい。
【００４０】
光選択反射層６も光選択反射パターン層４と同様に、コレステリック液晶層からなり、コレステリック液晶の溶剤溶液を各種の塗布法によって適用し、乾燥させることにより形成することができ、あるいは、このとき、重合性のコレステリック液晶を用いて紫外線重合性組成物を調製し、得られた紫外線重合性組成物を各種の塗布法によって適用し、乾燥後に、紫外線を照射して重合させて形成することもできる。
【００４１】
図１（ａ）、図１（ｂ）、および図１（ｃ）を引用して説明した真偽判定用媒体１を例に、真偽判定の方法を説明する。本発明の真偽判定用媒体１は、図２（ａ）に示すように光選択反射パターン層４によって形成された文字「Ａ」であるパターン２１、低配向性パターン層５によって形成された地紋２２、および、いずれのパターンも無い無地部分２３とからなる。ただし、図２（ａ）は自然光下で観察したときの外観を示し、このとき、パターン２１および地紋２２のいずれもが視認可能である。なお、ここで、光選択反射パターン層４および光選択反射層６は、いずれも右円偏光を反射するものであるとする。
【００４２】
まず、光選択反射層６上に右円偏光板を重ねると、いずれのパターンも無い無地部分２３上では反射が起き、しかも光選択反射層６を構成するコレステリック液晶のらせんピッチに基づいて発色した無地部分２３’を与える。また、このとき、地紋２２の部分は、低配向性パターン層５を伴なうため、低配向性パターン層５を伴なわない部分にくらべ、光選択反射層６の配向性が低下しているので、いずれのパターンも無い無地部分２３とは異なる反射性および発色状態となるために顕像化された地紋２２’を与える。さらに、文字「Ａ」であるパターン２１の部分も、光選択反射層６と同様、ただし、液晶層の厚みもしくいはらせんピッチの相違に基づく異なる反射性および発色状態となり、文字「Ａ」が顕像化されたパターン２１’を与える。
【００４３】
次に、右円偏光板を除いて左円偏光板を重ねると、地紋部分２２および無地部分２３では、光選択反射層６には左円偏光が入射するので、反射が起きず、従って、地紋部分２２および無地部分２３での発色は起きず、また、文字「Ａ」であるパターン２１の部分においても、反射が起きないため、いずれの部分も無発色となる。
【００４４】
従って、本発明の真偽判定用媒体１は、右円偏光および左円偏光をそれぞれ別に入射させることにより、異なった反射性を示し、観察者から見れば、異なった見え方となるから、予め、真正なものの見え方を確認しておくか、右円偏光および左円偏光のそれぞれを、真正なものと真偽を判定すべきものの両方に入射して、反射性もしくは見え方を比較することにより、真偽判定を行なうことができる。なお、右円偏光、もしくは左円偏光を光選択反射層６側に入射して観察することは、単に、右円偏光板もしくは左円偏光板を光選択反射層６側に重ねて観察することによってもよい。
【００４５】
図１を引用して説明した本発明の真偽判定用媒体１は、図３を引用して次に説明するように、ラベルや転写シートの形態に加工することにより、真偽判定用媒体１を適用すべき種々の物品に対する適用を容易とすることができる。
【００４６】
図３（ａ）は、ラベルの形態に関するもので、図示の例のものは、基材２、配向膜３、光選択反射パターン層４および低配向性パターン層５、並びに光選択反射層６が順に積層した積層構造からなる真偽判定用媒体１（図１（ａ）のもの）の基材２側に接着剤層１２を積層して真偽判定用媒体ラベル１１を構成したものである。真偽判定用媒体ラベル１１を構成するための真偽判定用媒体１としては、上記の積層構造のものに限らず、図１を引用して説明した他の積層構造のもの、またはそれらから配向膜３を省いた積層構造のものであってもよい。
【００４７】
図３（ａ）を引用した上記説明においては、基材２側に接着剤層１２が積層されているが、光選択反射層６側に接着剤層が積層されていてもよく、いずれの側に接着剤層を積層するかは、種々の物品にラベルを適用したときに、基材３側もしくは光選択反射層６側のいずれが入射面になるかによって決める。なお、接着剤層１２は、種々のタイプの接着剤層であり得るが、感熱接着剤層もしくは粘着剤層であることが好ましい。図１を引用して説明した他の積層構造のもので真偽判定用媒体ラベル１１を構成する際も同様である。
【００４８】
図３（ｂ）は、転写シートの形態に関するもので、図示の例のものは、基材２、配向膜３、光選択反射パターン層４および低配向性パターン層５、並びに光選択反射層６が順に積層した積層構造からなる真偽判定用媒体１（図１（ａ）のもの）の基材２側に接着剤層１２を積層し、光選択反射層６側に剥離性基材１４の剥離性面１４ａ側を積層して真偽判定用媒体転写シート１３を構成したものである。真偽判定用媒体転写シート１３を構成するための真偽判定用媒体１としては、上記の積層構造のものに限らず、図１を引用して説明した他の積層構造、またはそれらから配向膜３を省いた積層構造のものであってよい。
【００４９】
真偽判定用媒体転写シート１２の場合も、接着剤層を積層する側をいずれにするかは、
種々の物品に転写シートを適用したときに、基材２側もしくは光選択反射層６側のいずれが入射面になるかによって決め、接着剤層が積層されない側に剥離性基材２を積層する。やはり、接着剤層１２は、種々のタイプの接着剤層であり得るが、感熱接着剤層もしくは粘着剤層であることが好ましい。図１を引用して説明した他の積層構造のもので真偽判定用媒体転写シート１３を構成する際も同様である。なお、接着剤層は、真偽判定用媒体１を適用すべき種々の物品の表面に適用することとし、転写シートとしては接着剤層の無いものを構成してもよい。
【００５０】
本発明の真偽判定用媒体１は、好ましくは、上記のような真偽判定用媒体ラベル１１の形態のもの、もしくは真偽判定用媒体転写シート１３の形態のものを用いて、種々の物品に適用することができる。真偽判定用媒体ラベル１１の形態のものは、接着剤層１２を被着体となる物品側に向けて貼り付けることにより適用し、また、真偽判定用媒体転写シート１３の形態のものは、接着剤層１２を被着体となる物品側に向けて接着させた後、剥離性基材１４を剥離することにより適用する。
【００５１】
図４は、主にシート状物を対象とした真偽判定用媒体１の適用について説明するための図である。図４（ａ）に示すものは、情報記録体１６の表面の一部に真偽判定用媒体１が積層されて構成された、真偽判定可能な情報記録体１５である。情報記録体１６は紙やプラスチックシート等を基材とするシート状物で、図示の例では、金券として利用するための金額、発行会社名、注意書等の文字、もしくは彩紋等の情報１７が、印刷等の手段により形成され記録されたものである。
【００５２】
図４（ｂ）に示すものは、真偽判定用媒体１をシート状物に予め内蔵させ、視認可能に構成したもので、紙やプラスチックシート等に貫通孔とはならない凹部状の開口部１９を形成し、開口部１９から真偽判定用媒体１が見えるよう構成したもので、真偽判定用媒体１は適用を容易にするため、一例として０．５ｍｍ〜５ｍｍ程度のごく狭い幅の図中縦長のスレッド状に裁断されており、紙の場合であれば、紙を構成する数層を積層する際に、表層を構成する層には開口部１９を設けておき、シート状物の層間にスレッド状の真偽判定用媒体１をはさむ等して適用することにより形成されたものである。スレッド状の真偽判定用媒体１には、必要に応じて、円偏光照射時の視認性を高める目的で基材の片面等に暗色系等の着色を行ない、また、シート状物に内蔵させた状態における、スレッド状の真偽判定用媒体１とシート状物との接着性を確保するために、片面もしくは両面に接着剤層、好ましくは感熱接着剤層を積層しておくとよい。このようなシート状物に真偽判定用媒体１を適用したものは、情報記録体、特に金券やその他の経済的価値を有する印刷物に利用するのに適している。
【実施例１】
【００５３】
ＴＡＣフィルムを準備し、その表面にＰＶＡ溶液（（株）クラレ製のＰＶＡ樹脂、品番；「１１０」、２％水溶液（透明）として使用。）を塗布し乾燥させた後に、ラビング処理を行なって配向膜を形成した。形成された配向膜上に、ＰＶＡ溶液（（株）クラレ製のＰＶＡ樹脂、品番；「１１０」、５％水溶液（透明）として使用。）および重合性コレステリック液晶溶液をそれぞれ用い、グラビア印刷により、文字および図柄からなる異なる二種類のパターンの印刷を行なった。重合性コレステリック液晶溶液は、重合性のネマチック液晶（ＢＡＳＦ（株）製、商品名；「パリオカラーＬＣ２４２」）、カイラル剤（ＢＡＳＦ（株）製、商品名；「パリオカラーＬＣ７５６」）および紫外線重合開始剤を配合したものの４０％溶液（溶剤はトルエンである。）であり、印刷して乾燥させた後、紫外線を照射して硬化させた。形成されたコレステリック液晶パターン層は、右円偏光を反射するものである。
【００５４】
形成された二種類のパターン上に、重合性コレステリック液晶溶液を用いてグラビアコーティングを行ない、乾燥させた後、紫外線を照射することにより、コレステリック液晶層を形成し、真偽判定用媒体を得た。ここで用いた重合性コレステリック液晶溶液は、重合性のネマチック液晶（ＢＡＳＦ（株）製、商品名；「パリオカラーＬＣ２４２」）、カイラル剤（ＢＡＳＦ（株）製、商品名；「パリオカラーＬＣ７５６」）および紫外線重合開始剤を配合したものの１５％溶液（溶剤はトルエンである。）であり、ネマチック液晶とカイラル剤の配合比を、パターンの印刷用のものとは異なるように調製した。形成されたコレステリック液晶層は、右円偏光を反射するものである。なお、前段落で印刷に用いた重合性コレステリック液晶溶液、およびこの段落においてコーティングに用いた重合性コレステリック液晶溶液のいずれも、重合性のネマチック液晶／カイラル剤の配合比は９５．５／４．５であり、紫外線重合開始剤は重合性のネマチック液晶に対して５％を配合したものである。
【実施例２】
【００５５】
ＴＡＣフィルムの代わりにＰＥＴフィルムを準備し、配向膜の形成を行なわずに、印刷およびコーティングを行なって真偽判定用媒体を得た。ただし、印刷およびコーティングに用いた溶液および適用手段、適用後の硬化等は、実施例１の場合と同様にした。
【００５６】
実施例１および実施例２で得られた真偽判定用媒体のコーティングを施した側に、右円偏光板を重ねると、コレステリック液晶層の反射により、ＰＶＡ溶液で印刷した箇所と印刷していない部分との色が異なることにより、パターンを視認することができ、また、コレステリック液晶溶液で印刷したパターンも視認できた。次に、右円偏光板を取り除き、左円偏光板を重ねると、いずれの部分も発色せず、以上のように、右円偏光板および左円偏光板を用いることにより、真偽の判定が可能であった。
【図面の簡単な説明】
【００５７】
【図１】本発明の真偽判定用媒体の積層構造の例を示す図である。
【図２】本発明の真偽判定用媒体を用いた真偽の判定方法を示す図である。
【図３】本発明の真偽判定用媒体を種々の物品に適用するのに適したラベルおよび転写シートを示す図である。
【図４】本発明の真偽判定用媒体の適用例を示す図である。
【符号の説明】
【００５８】
１……真偽判定用媒体
２……基材
３……配向膜
４……光選択反射パターン層
５……低配向性パターン層
６……光選択反射層
１１……真偽判定用媒体ラベル
１３……真偽判定用媒体転写シート
１５……真偽判定可能な情報記録体
１８……真偽判定可能なシート
２１……パターン
２２……地紋
２３……無地部分
【図１】
2005096178.tif 000003
【図２】
2005096178.tif 000004
【図３】
2005096178.tif 000005
【図４】
2005096178.tif 000006